(57)【要約】【課題】  栽培中のキノコ類の害虫等による被害を未然に防ぎ、キノコ類の生産効率を高めることにある。又、複数並べて管理されるような場合に、内容物等によって容易に他と区別できる栽培用収納具を提供することにある。【解決手段】  この栽培用袋１は、キノコ類を栽培するための収納具であって、本体部３と、フィルタ５とを備えている。本体部３は、内側に収納スペースを有し、少なくとも一部の領域が防虫色を呈する。フィルタ５は、本体部３の所定の箇所に設けられ、通気性を有する。【選択図】      図１
2005304398.tif 000002
【特許請求の範囲】
【請求項１】
キノコ類を栽培するための栽培用収納具であって、
内側に収納スペースを有し、少なくとも一部の領域が防虫色を呈する本体部と、
前記本体部の所定の箇所に設けられ、通気性を有するフィルタと、
を備えた栽培用収納具。
【請求項２】
前記防虫色は、マンセル表色系における５ＹＲから５ＧＹまでの５Ｙを含む範囲にある色相を有している、請求項に記載の栽培用収納具。
【請求項３】
前記フィルタは、ポリテトラフルオロエチレン製の多孔膜を含む、請求項１又は２に記載の収納具。
【請求項４】
前記本体部は、内容物を出し入れするための開口部を有する袋である、請求項１から３のいずれかに記載の栽培用収納具。
【請求項５】
前記本体部は、内容物を出し入れするための開口部を有する容器本体と、前記開口部に装着されるキャップとを有している、請求項１から３のいずれかに記載の栽培用収納具。
【発明の詳細な説明】
【技術分野】
【０００１】
本発明は、栽培用収納具、特に、キノコ類を栽培するための栽培用収納具に関する。
【背景技術】
【０００２】
エノキ茸、ブナシメジ、椎茸等の食用茸を栽培するための収納具として、プラスチック製の袋やプラスチック製の広口の容器が用いられている。
【０００３】
このうち栽培用袋を用いる場合は、例えば次のように栽培される。まず、袋の所定箇所にフィルタを設けるとともに袋に培地を充填し、袋の開口部を閉じた後、高温殺菌する。殺菌処理後、栽培用袋を冷却し、冷却後開口部を開けて種菌を接種し、再度開口部を閉じて所定期間培養する。培養期間経過後開口部を開け、培地から子実体を成長させ、所定の大きさまでキノコが成長した時点で収穫する。
【０００４】
なお、フィルタを有する従来の袋として、例えば、特許文献１に示されるようなものが既に提案されている。
【特許文献１】特開平１１−７９１９９号公報
【発明の開示】
【発明が解決しようとする課題】
【０００５】
栽培用袋を用いて栽培している間、キノコ類から炭酸ガス（ＣＯ２）が発生して、フィルタを通して袋の外部に放出されるが、このようなガスやキノコ類から出る匂いを嗅ぎつけて、種々の害虫やナメクジ等が袋に群がってくる。
【０００６】
そして、これらの害虫等は、閉じた開口部の僅かな隙間から進入したり、袋本体に孔を開けて進入したりする場合があり、栽培中のキノコ類が進入した害虫等によって被害を受けることがある。特に、栽培用袋は、一般に、複数個が載置棚等に載置されるので、袋に群がる害虫等の数も多くなりがちであり、また、周辺に害虫等の死骸が生じる等、不潔、不衛生な面がある。
【０００７】
一方で、複数並べられて管理される栽培袋は、互いに似たような外観を呈しているため、ある特定の袋について、いずれの種のキノコ類を栽培するものであるかや、いつ栽培を開始したものであるか等が外部から分かりにくく、混同を生じるおそれがある。
【０００８】
本発明の課題は、栽培中のキノコ類の害虫等による被害を未然に防ぎ、キノコ類の生産効率を高めることにある。
【０００９】
又、本発明の課題は、複数並べて管理されるような場合に、内容物等によって容易に他と区別できる栽培用収納具を提供することにある。
【課題を解決するための手段】
【００１０】
請求項１に係る栽培用収納具は、キノコ類を栽培するための収納具であって、本体部と、フィルタとを備えている。本体部は、内側に収納スペースを有し、少なくとも一部の領域が防虫色を呈する。フィルタは、本体部の所定の箇所に設けられ、通気性を有する。
【００１１】
この収納具では、本体部に防虫色を呈する部分があるため、培養、育成期間中に害虫等が嫌って寄りつかないため、内部のキノコ類が被害を受けるのを抑え、キノコ類の生産効率を上げることができる。
【００１２】
また、栽培用収納具は、栽培用棚等に複数並べて載置されることが多いが、この収納具では、防虫色が付されていることにより、他の収納具との区別がつきやすく、さらに、キノコ類の種類、栽培開始時期等によって色を異ならせることで、複数の収納具において混同を生じるのを防ぐことができる。
【００１３】
なお、本発明にいて、収納具には、袋、容器等など、内容物を一定期間収納しうるものが含まれる。また、防虫色とは、他の色に比べ害虫等が嫌う傾向のある色をいい、黄色、オレンジ、コバルトブルーのような色が含まれる。害虫等という場合は、ガ、カ等の昆虫のほかに、ナメクジ、ダニ等も含まれる。
【００１４】
請求項２に係る栽培用収納具は、請求項１の収納具において、防虫色は、マンセル表色系における５ＹＲから５ＧＹまでの５Ｙを含む範囲にある色相を有している。
【００１５】
この収納具では、具体的に、防虫色のうち黄色系の色相を含む色相を呈していることにより、防虫効果を発揮することができる。
【００１６】
請求項３に係る栽培用収納具は、請求項１又２の収納具において、フィルタは、ポリテトラフルオロエチレン製の多孔膜を含む。
【００１７】
この収納具では、フィルタにポリテトラフルオロエチレン製の多孔膜が用いられているので、撥水性に優れ、耐久性に優れるとともに、高い捕集効率を有していることから害虫、ダニ等の進入を抑えることができる。
【００１８】
請求項４に係る栽培用収納具は、請求項１から３のいずれかの収納具において、本体部は、内容物を出し入れするための開口部を有する袋である。
【００１９】
ここでは、具体的に、収納具として袋を採用した場合において、害虫被害を防ぐとともに、他の収納具との区別がつきやすくなっている。
【００２０】
請求項５に係る栽培用収納具は、請求項１から３のいずれかの収納具において、本体部は、内容物を出し入れするための開口部を有する容器本体と、開口部に装着されるキャップとを有している。
【００２１】
ここでは、具体的に、収納具として容器を採用した場合において、害虫被害を防ぐとともに、他の収納具との区別がつきやすくなっている。
【発明の効果】
【００２２】
請求項１の栽培用収納具では、本体部に防虫色を呈する部分があるため、培養、育成期間中に害虫等が嫌って寄りつかないため、内部のキノコ類が被害を受けるのを抑え、キノコ類の生産効率を上げることができる。
【００２３】
また、栽培用収納具は、栽培用棚等に複数並べて載置されることが多いが、この収納具では、防虫色が付されていることにより、他の収納具との区別がつきやすく、キノコ類の種類、栽培開始時期等によって色を異ならせることで、複数の収納具において混同を生じるのを防ぐことができる。
【００２４】
請求項２の栽培用収納具では、具体的に、防虫色といわれる黄色系の色相を含む色相を呈していることにより、防虫効果を発揮することができる。
【００２５】
請求項３の栽培用収納具では、フィルタにポリテトラフルオロエチレン製の多孔膜が用いられているので、撥水性に優れ、耐久性に優れるとともに、高い捕集効率を有していることから害虫、ダニ等の進入を抑えることができる。
【００２６】
請求項４の栽培用収納具では、具体的に、収納具として袋を採用した場合において、害虫被害を防ぐとともに、他の収納具との区別がつきやすくなっている。
【００２７】
請求項５の栽培用収納具では、具体的に、収納具として容器を採用した場合において、害虫被害を防ぐとともに、他の収納具との区別がつきやすくなっている。
【発明を実施するための最良の形態】
【００２８】
［第１実施形態］
＜袋の構成＞
図１及び図２に、本発明の第１実施形態が採用された栽培用袋１を示す。
【００２９】
この栽培用袋１は、キノコ類を栽培するための袋であって、本体部３と、フィルタ５とを備えている。
【００３０】
本体部３は、内側に培地、種菌等が充填されるスペースを有するものであり、ポリエチレン、ポリプロピレン等の汎用製樹脂を材質とするものである。この本体部３は、図１に示すように断面が角形形状のものであり、上端部に開口部４が形成されている。また、本体部３の底部６は、補強のため、二重シートとして形成され又は折り返されている。
【００３１】
この本体部３は、例えば、インフレーション法により得られるチューブ状のフィルム素材（原反）に対し、完成後の本体部３の色が防虫色を呈するような色の塗料（例えば、黄色、コバルトブルー系の色）が塗布され、次いで、必要な長さに裁断され、一方の端部が熱で溶着され、完成後の本体部３の側方向両端部にマチが形成されるよう折り返し加工が施されることで得られる。この本体部３は、原反全体に塗料が塗布されることで、全体が防虫色を呈しており、具体的には、マンセル表色系における５ＹＲから５ＧＹまでの５Ｙを含む範囲にある色相を有している。なお、本体部３は、防虫色の明度及び彩度は特に限定されない。このような本体部３は、複数の原反に着色される際は、本体部３で培養、育成されるキノコ類の種類が異なる場合又は栽培開始時期が異なる場合等による違いがある場合には、異なる袋１の原反ごとに異なる色で塗り分けられる。
【００３２】
なお、袋１は、マチのない、断面丸形のものであっても良い。また、袋１は、プラスチック製のものに限定されず、例えば紙製であっても良い。この場合は、補強のために内側及び外側の表面に所定の撥水加工が施されるか、他のプラスチック製フィルム等で覆われるのが好ましい。
【００３３】
フィルタ５は、内部でキノコ類が発生する炭酸ガスを外部に放出して新鮮な外気を取り入れる換気のための部材であり、通気性を有している。フィルタ５は、ポリテトラフルオロエチレン製の多孔膜と、この多孔膜の両面に熱融着によりラミネートされる不織布とで構成される。不織布は、熱融着に限らず、接着剤によりラミネートされても良い。なお、フィルタ５の性能としては、孔径が０．１μｍ以上５０μｍ、好ましくは０．１μｍ以上２０μｍ以下であり、濾材透過風速が５．３ｃｍ／ｓの時における粒子径０．１μｍ以上０．２μｍ以下の粒子の捕集効率が９５％以上、また、濾材透過風速が５．３ｃｍ／ｓの時における圧力損失が１０Ｐａ以上２０００Ｐａ以下、好ましくは２０Ｐａ以上２００Ｐａ以下であるものが好ましい。
【００３４】
また、不織布としては、芯鞘構造を有するものが用いられる。フィルタ５は、本体部３において予め設けられた開口部７を塞ぐように外側から熱融着により固定される。
【００３５】
＜袋の使い方＞
次に、栽培用袋１の使い方について説明する。
【００３６】
まず、栽培用袋１を殺菌処理し、その後、内部に、フィルタ５の取付位置よりも下方の位置まで培地等を充填する。培地としては、オガクズ、米ぬか、ふすま、トウモロコシ糠等の粉末状栄養物に所定量の水を加えたものを用いる。そして、培地の中央部には、キノコ類の種菌を植えるための植菌孔を形成し、キノコの種菌を植菌孔及び培地表面に接種する。
【００３７】
このような処理を施した後、所定の環境条件の下、載置棚等に載置して培養、育成する。このような培養、育成の期間中においては、袋内に炭酸ガスが発生するので、発生した炭酸ガスが袋外に放出され、逆に袋外の空気を袋内に取り込まれて置換される。
【００３８】
そして、この栽培用袋１では、本体部３が防虫色を呈しているため、害虫等を寄せ付けず、害虫等が内部に進入してキノコ類が被害を受けるのを未然に防ぎ、キノコ類の生産効率を上げることができる。
【００３９】
また、この栽培用袋１は、栽培用棚等に複数並べて載置されても、防虫色が付されていることにより、他の収納具との区別がつきやすく、キノコ類の種類、栽培開始時期等によって異なる色の防虫色を呈するものをさらに用いることで、複数の収納具において混同を生じるのを防ぐことができる。
【００４０】
［第２実施形態］
図３に、本発明の第２実施形態が採用された栽培用容器１１を示す。
【００４１】
ここでは、上記第１実施形態との相違に注目して説明する。
この栽培用容器１１は、開口部１４を有する容器本体１３と、開口部１４に装着されるキャップ１５と、フィルタ１７とをを有している。
【００４２】
容器本体１３は、ポリプロピレン等の汎用性樹脂を材質とし、上端部に開口部１４を有している。容器本体１３は、ブロー成型等により製造されるが、かかる成型後に、容器本体１３が防虫色を呈するような色の塗料が塗布される。
【００４３】
キャップ１５は、容器本体１３と同様、汎用性樹脂を材質とし、容器本体１３の開口部１４に螺号して装着できるようになっている。また、キャップ１５は、開口部１６を有しており、この開口部１６には、図示されるようにフィルタ１７が内側からＯリング１８により嵌め込まれて装着されている。
【００４４】
フィルタ１７は、第１実施形態のフィルタ５と同様のものである。なお、フィルタ１７は、ここでは、キャップ１５に装着されているが、容器本体１３に開口部を設けその開口部に取り付けられても良い。又、より防虫効果を上げられる点で、このキャップ１５も、防虫色を呈するよう着色されるのが好ましい。
【００４５】
この栽培用容器１１も、上記栽培用袋１と同様、容器本体１３の内側に培地を充填して使用することができ、培養期間中、キャップ１５は、容器本体１３に硬く装着される。
【００４６】
そして、この容器１１でも、容器本体１３が防虫色を呈していることから、害虫等を寄せ付けず、害虫等が内部に進入してキノコ類が被害を受けるのを未然に防ぎ、生産効率を上げることができるとともに、他の収納具との区別がつきやすく、キノコ類の種類、栽培開始時期等によって異な留防虫色を呈するものをさらに用いることで、複数の収納具において混同を生じるのを防ぐことができる。
【００４７】
［他の実施形態］
（ａ）収納具が呈する防虫色は、上記のように原反や成型品に着色される場合に限定されず、これらの製造段階よりも前の段階で着色される場合又は完成品に対して後から着色される場合も含まれる。
【００４８】
（ｂ）塗料のみでなく、顔料や染料などの他の着色手段によって着色されても良い。
（ｃ）着色の具体的な方法には、塗料の塗布に限定されず、吹き付け塗装やディッピングのような他の着色方法も含まれ、また、防虫色を呈する紙、フィルム等の他の部材で外側を覆うことも含まれる。
【００４９】
（ｄ）収納具は、袋や容器の一部の領域のみが防虫色を呈するものであっても良く、また、フィルタ自体も防虫色を呈するもの（例えばアラミド等で構成された黄色い不織布）であっても良い。
【図面の簡単な説明】
【００５０】
【図１】本発明の第１実施形態が採用された栽培用袋を示す斜視図。
【図２】前記栽培用袋を示す正面図。
【図３】本発明の第２実施形態が採用された栽培用容器を一部破断して示す正面図。
【符号の説明】
【００５１】
１  栽培用袋
３  本体部
４  開口部
５  フィルタ
１１  栽培用容器
１３  容器本体
１４  開口部
１５  フィルタ
１７  キャップ
【図１】
2005304398.tif 000003
【図２】
2005304398.tif 000004
【図３】
2005304398.tif 000005